(57)【要約】      （修正有）【課題】効率的な上りリンク制御情報を伝送方法および装置を提供する。【解決手段】端末装置は、プライマリセルにおけるｓＴＴＩにおいて第１のデータと第２のデータを受信し、且つ、第２のｓＴＴＩにおいてＨＡＲＱ−ＡＣＫとＳＲが送信される場合、セカンダリセルに対するパラメータの値に基づいて第１の送信方法および第２の送信方法の何れかを送信方法として選択し、選択された送信方法を用いて第１のＨＡＲＱ−ＡＣＫを送信する。第１の送信方法に対して第１のＨＡＲＱ−ＡＣＫは、プライマリセルとセカンダリセルのそれぞれに対するＨＡＲＱ−ＡＣＫを含み、第２の送信方法に対して第１のＨＡＲＱ−ＡＣＫは、第１のデータと第２のデータのそれぞれに対するＨＡＲＱ−ＡＣＫを含む。セカンダリセルに対するパラメータは、ｓＰＤＳＣＨのリソースエレメントへのマッピングを特定するためのパラメータである。【選択図】図１２
2018196077.tif 000002
【特許請求の範囲】
【請求項１】
１つのプライマリセル、および、１つのセカンダリセルを含む２つのサービングセル用いて基地局装置と通信する端末装置であって、
トランスポートブロックを受信する受信部と、
前記プライマリセルにおけるサブフレームにおける最も早いｓＴＴＩにおいて第１のトランスポートブロックと第２のトランスポートブロックが受信され、且つ、スケジューリング要求が正のスケジューリング要求であり、且つ、第２のｓＴＴＩにおいてＨＡＲＱ−ＡＣＫと前記スケジューリング要求が送信される場合、前記セカンダリセルに対するパラメータｌDａｔａSｔａｒｔの値に基づいて、第１の送信方法および第２の送信方法の何れかを送信方法として選択し、前記選択された送信方法を用いて前記スケジューリング要求のための第１のｓＰＵＣＣＨリソースにおいて第１のＨＡＲＱ−ＡＣＫを送信する送信部と、を備え、
前記セカンダリセルに対する前記パラメータｌDａｔａSｔａｒｔは、ＰＤＳＣＨまたはｓＰＤＳＣＨのリソースエレメントへのマッピングを特定するためのパラメータであり、
前記第１の送信方法に対して、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、
前記第２の送信方法に対して、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、
前記プライマリセルに対する前記第２のＨＡＲＱ−ＡＣＫは、前記第４のＨＡＲＱ−ＡＣＫと前記第５のＨＡＲＱ−ＡＣＫを空間的にバンドルすることによって生成される端末装置。
【請求項２】
前記第１の送信方法に対して、ＨＡＲＱ−ＡＣＫ応答が提供されないといけない前記ｓＰＤＳＣＨの送信が前記セカンダリにおける前記サブフレームにおける前記最も早いｓＴＴＩにおいて受信されなかった場合、前記セカンダリセルに対する前記第３のＨＡＲＱ−ＡＣＫはＮＡＣＫにセットされる請求項１に記載の端末装置。
【請求項３】
前記第２の送信方法に対して、前記第１のＨＡＲＱ−ＡＣＫは、前記セカンダリセルに対する前記第３のＨＡＲＱ−ＡＣＫを含まない請求項１に記載の端末装置。
【請求項４】
１つのプライマリセル、および、１つのセカンダリセルを含む２つのサービングセル用いて端末装置と通信する基地局装置であって、
トランスポートブロックを送信する送信部と、
前記プライマリセルにおけるサブフレームにおける最も早いｓＴＴＩにおいて第１のトランスポートブロックと第２のトランスポートブロックが送信される場合、第２のｓＴＴＩにおけるスケジューリング要求のための第１のｓＰＵＣＣＨリソースにおいて第１のＨＡＲＱ−ＡＣＫを受信する受信部と、を備え、
前記セカンダリセルに対する前記パラメータｌDａｔａSｔａｒｔが所定の値である場合、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、
前記セカンダリセルに対するパラメータｌDａｔａSｔａｒｔが前記所定の値ではない場合、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、
前記プライマリセルに対する前記第２のＨＡＲＱ−ＡＣＫは、前記端末装置によって前記第４のＨＡＲＱ−ＡＣＫと前記第５のＨＡＲＱ−ＡＣＫを空間的にバンドルすることによって生成され、
前記セカンダリセルに対する前記パラメータｌDａｔａSｔａｒｔは、ＰＤＳＣＨまたはｓＰＤＳＣＨのリソースエレメントへのマッピングを特定するためのパラメータである
基地局装置。
【請求項５】
前記セカンダリセルに対する前記パラメータｌDａｔａSｔａｒｔが前記所定の値である場合、前記端末装置によってＨＡＲＱ−ＡＣＫ応答が提供されないといけない前記ｓＰＤＳＣＨの送信が前記セカンダリにおける前記サブフレームにおける前記最も早いｓＴＴＩにおいて受信されなかった場合、前記セカンダリセルに対する前記第３のＨＡＲＱ−ＡＣＫはＮＡＣＫにセットされる請求項４に記載の基地局装置。
【請求項６】
前記セカンダリセルに対する前記パラメータｌDａｔａSｔａｒｔが前記所定の値ではない場合、前記第１のＨＡＲＱ−ＡＣＫは、前記セカンダリセルに対する前記第３のＨＡＲＱ−ＡＣＫを含まない請求項４に記載の基地局装置。
【請求項７】
１つのプライマリセル、および、１つのセカンダリセルを含む２つのサービングセル用いて基地局装置と通信する端末装置に用いられる通信方法であって、
トランスポートブロックを受信し、
前記プライマリセルにおけるサブフレームにおける最も早いｓＴＴＩにおいて第１のトランスポートブロックと第２のトランスポートブロックが受信され、且つ、スケジューリング要求が正のスケジューリング要求であり、且つ、第２のｓＴＴＩにおいてＨＡＲＱ−ＡＣＫと前記スケジューリング要求が送信される場合、前記セカンダリセルに対するパラメータｌDａｔａSｔａｒｔの値に基づいて、第１の送信方法および第２の送信方法の何れかを送信方法として選択し、
前記選択された送信方法を用いて前記スケジューリング要求のための第１のｓＰＵＣＣＨリソースにおいて第１のＨＡＲＱ−ＡＣＫを送信し、
前記セカンダリセルに対する前記パラメータｌDａｔａSｔａｒｔは、ＰＤＳＣＨまたはｓＰＤＳＣＨのリソースエレメントへのマッピングを特定するためのパラメータであり、
前記第１の送信方法に対して、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、
前記第２の送信方法に対して、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、
前記プライマリセルに対する前記第２のＨＡＲＱ−ＡＣＫは、前記第４のＨＡＲＱ−ＡＣＫと前記第５のＨＡＲＱ−ＡＣＫを空間的にバンドルすることによって生成される通信方法。
【請求項８】
前記第１の送信方法に対して、ＨＡＲＱ−ＡＣＫ応答が提供されないといけない前記ｓＰＤＳＣＨの送信が前記セカンダリにおける前記サブフレームにおける前記最も早いｓＴＴＩにおいて受信されなかった場合、前記セカンダリセルに対する前記第３のＨＡＲＱ−ＡＣＫはＮＡＣＫにセットされる請求項７に記載の通信方法。
【請求項９】
前記第２の送信方法に対して、前記第１のＨＡＲＱ−ＡＣＫは、前記セカンダリセルに対する前記第３のＨＡＲＱ−ＡＣＫを含まない請求項７に記載の通信方法。
【請求項１０】
１つのプライマリセル、および、１つのセカンダリセルを含む２つのサービングセル用いて端末装置と通信する基地局装置に用いられる通信方法であって、
トランスポートブロックを送信し、
前記プライマリセルにおけるサブフレームにおける最も早いｓＴＴＩにおいて第１のトランスポートブロックと第２のトランスポートブロックが送信される場合、第２のｓＴＴ
Ｉにおけるスケジューリング要求のための第１のｓＰＵＣＣＨリソースにおいて第１のＨＡＲＱ−ＡＣＫを受信し、
前記セカンダリセルに対する前記パラメータｌDａｔａSｔａｒｔが所定の値である場合、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、
前記セカンダリセルに対するパラメータｌDａｔａSｔａｒｔが前記所定の値ではない場合、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、
前記プライマリセルに対する前記第２のＨＡＲＱ−ＡＣＫは、前記端末装置によって前記第４のＨＡＲＱ−ＡＣＫと前記第５のＨＡＲＱ−ＡＣＫを空間的にバンドルすることによって生成され、
前記セカンダリセルに対する前記パラメータｌDａｔａSｔａｒｔは、ＰＤＳＣＨまたはｓＰＤＳＣＨのリソースエレメントへのマッピングを特定するためのパラメータである通信方法。
【請求項１１】
前記セカンダリセルに対する前記パラメータｌDａｔａSｔａｒｔが前記所定の値である場合、前記端末装置によってＨＡＲＱ−ＡＣＫ応答が提供されないといけない前記ｓＰＤＳＣＨの送信が前記セカンダリにおける前記サブフレームにおける前記最も早いｓＴＴＩにおいて受信されなかった場合、前記セカンダリセルに対する前記第３のＨＡＲＱ−ＡＣＫはＮＡＣＫにセットされる請求項１０に記載の通信方法。
【請求項１２】
前記セカンダリセルに対する前記パラメータｌDａｔａSｔａｒｔが前記所定の値ではない場合、前記第１のＨＡＲＱ−ＡＣＫは、前記セカンダリセルに対する前記第３のＨＡＲＱ−ＡＣＫを含まない請求項１０に記載の通信方法。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
ＬＴＥリリース１３において、ＰＵＳＣＨおよびＰＵＣＣＨが上りリンク制御情報が伝送することが仕様化されている（非特許文献１、２、３、４）。非特許文献５において、ＴＴＩ（Transmission Time Interval）の短縮、および、処理時間の削減について検討されている。非特許文献６において、ｓＰＵＣＣＨ、および、ｓＰＵＳＣＨがチャネル状態情報およびＨＡＲＱ−ＡＣＫ（Hybrid Automatic Repeat reQuest-ACKnowledgement）を
伝送することが検討されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"3GPP TS 36.300 V13.2.0 (2015-12)", 13th January, 2015.
【非特許文献５】"New SI proposal: Study on Latency reduction techniques for LTE", RP-150465, Ericsson, Huawei, 3GPP TSG RAN Meeting #67, Shanghai, China, 9th - 12th March 2015.
【非特許文献６】" Physical layer aspects for PUSCH for short TTI", R1-163320, Ericsson, 3GPP TSG RAN WG1 Meeting #84 bis, Busan, 11th - 15th April 2016.
【発明の概要】
【発明が解決しようとする課題】
【０００５】
本発明は、効率的に上りリンク制御情報を送信することができる端末装置、該端末装置に用いられる通信方法、該端末装置に実装される集積回路、効率的に上りリンク制御情報を受信することができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、１つのプライマリセル、および、１つのセカンダリセルを含む２つのサービングセル用いて基地局装置と通信する端末装置であって、トランスポートブロックを受信する受信部と、前記プライマリセルにおけるサブフレームにおける最も早いｓＴＴＩにおいて第１のトランスポートブロックと第２のトランスポートブロックが受信され、且つ、スケジューリング要求が正のスケジューリング要求であり、且つ、第２のｓＴＴＩにおいてＨＡＲＱ−ＡＣＫと前記スケジューリング要求が送信される場合、前記セカンダリセルに対するパラメータｌDａｔａSｔａｒｔの値に基づいて、第１の送信方法および
第２の送信方法の何れかを送信方法として選択し、前記選択された送信方法を用いて前記スケジューリング要求のための第１のｓＰＵＣＣＨリソースにおいて第１のＨＡＲＱ−ＡＣＫを送信する送信部と、を備え、前記セカンダリセルに対する前記パラメータｌDａｔ
ａSｔａｒｔは、ＰＤＳＣＨまたはｓＰＤＳＣＨのリソースエレメントへのマッピングを
特定するためのパラメータであり、前記第１の送信方法に対して、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、前記第２の送信方法に対して、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、前記プライマリセルに対する前記第２のＨＡＲＱ−ＡＣＫは、前記第４のＨＡＲＱ−ＡＣＫと前記第５のＨＡＲＱ−ＡＣＫを空間的にバンドルすることによって生成される。
【０００７】
（２）本発明の第２の態様は、基地局装置であって、１つのプライマリセル、および、１つのセカンダリセルを含む２つのサービングセル用いて端末装置と通信する基地局装置であって、トランスポートブロックを送信する送信部と、前記プライマリセルにおけるサブフレームにおける最も早いｓＴＴＩにおいて第１のトランスポートブロックと第２のトランスポートブロックが送信される場合、第２のｓＴＴＩにおけるスケジューリング要求のための第１のｓＰＵＣＣＨリソースにおいて第１のＨＡＲＱ−ＡＣＫを受信する受信部と、を備え、前記セカンダリセルに対する前記パラメータｌDａｔａSｔａｒｔが所定の値である場合、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、前記セカンダリセルに対するパラメータｌDａｔａSｔａｒｔが前記所定の値ではない場合、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、前記プライマリセルに対する前記第２のＨＡＲＱ−ＡＣＫは、前記端末装置によって前記第４のＨＡＲＱ−ＡＣＫと前記第５のＨＡＲＱ−ＡＣＫを空間的にバンドルすることによって生成され、前記セカンダリセルに対する前記パラメータｌDａｔａSｔａｒｔは、ＰＤＳＣＨまたはｓＰＤＳＣＨのリソースエレメントへのマッピングを特定するためのパラメータである。
【０００８】
（３）本発明の第３の態様は、１つのプライマリセル、および、１つのセカンダリセルを含む２つのサービングセル用いて基地局装置と通信する端末装置に用いられる通信方法であって、トランスポートブロックを受信し、前記プライマリセルにおけるサブフレームにおける最も早いｓＴＴＩにおいて第１のトランスポートブロックと第２のトランスポートブロックが受信され、且つ、スケジューリング要求が正のスケジューリング要求であり、且つ、第２のｓＴＴＩにおいてＨＡＲＱ−ＡＣＫと前記スケジューリング要求が送信される場合、前記セカンダリセルに対するパラメータｌDａｔａSｔａｒｔの値に基づいて、第１の送信方法および第２の送信方法の何れかを送信方法として選択し、前記選択された送信方法を用いて前記スケジューリング要求のための第１のｓＰＵＣＣＨリソースにおいて第１のＨＡＲＱ−ＡＣＫを送信し、前記セカンダリセルに対する前記パラメータｌDａ
ｔａSｔａｒｔは、ＰＤＳＣＨまたはｓＰＤＳＣＨのリソースエレメントへのマッピング
を特定するためのパラメータであり、前記第１の送信方法に対して、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、前記第２の送信方法に対して、前記第１のＨＡＲＱ−ＡＣＫは、前記第１のトランスポートブロックに対する第４のＨＡＲＱ−ＡＣＫと前記第２のトランスポートブロックに対する第５のＨＡＲＱ−ＡＣＫを含み、前記プライマリセルに対する前記第２のＨＡＲＱ−ＡＣＫは、前記第４のＨＡＲＱ−ＡＣＫと前記第５のＨＡＲＱ−ＡＣＫを空間的にバンドルすることによって生成される。
【０００９】
（４）本発明の第４の態様は、１つのプライマリセル、および、１つのセカンダリセル
を含む２つのサービングセル用いて端末装置と通信する基地局装置に用いられる通信方法であって、トランスポートブロックを送信し、前記プライマリセルにおけるサブフレームにおける最も早いｓＴＴＩにおいて第１のトランスポートブロックと第２のトランスポートブロックが送信される場合、第２のｓＴＴＩにおけるスケジューリング要求のための第１のｓＰＵＣＣＨリソースにおいて第１のＨＡＲＱ−ＡＣＫを受信し、前記セカンダリセルに対する前記パラメータｌDａｔａSｔａｒｔが所定の値である場合、前記第１のＨＡＲＱ−ＡＣＫは、前記プライマリセルに対する第２のＨＡＲＱ−ＡＣＫと前記セカンダリセルに対する第３のＨＡＲＱ−ＡＣＫを含み、前記セカンダリセルに対するパラメータｌD
ａｔａSｔａｒｔが前記所定の値ではない場合、前記第１のＨＡＲＱ−ＡＣＫは、前記第
１のトランスポートブロックに対する第４のＨＡＲＱ−ＡＣＫと前記第２のトランスポートブロックに対する第５のＨＡＲＱ−ＡＣＫを含み、前記プライマリセルに対する前記第２のＨＡＲＱ−ＡＣＫは、前記端末装置によって前記第４のＨＡＲＱ−ＡＣＫと前記第５のＨＡＲＱ−ＡＣＫを空間的にバンドルすることによって生成され、前記セカンダリセルに対する前記パラメータｌDａｔａSｔａｒｔは、ＰＤＳＣＨまたはｓＰＤＳＣＨのリソースエレメントへのマッピングを特定するためのパラメータである。
【発明の効果】
【００１０】
この発明によれば、端末装置は効率的に上りリンク制御情報を送信することができる。また、基地局装置は効率的に上りリンク制御情報を受信することができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の上りリンクにおけるサブフレームおよびｓＴＴＩの一例を示す図である。
【図５】本実施形態の下りリンクにおけるサブフレームおよびｓＴＴＩの一例を示す図である。
【図６】本実施形態におけるＨＡＲＱ−ＡＣＫの送信タイミングの一例を示す図である。
【図７】本実施形態におけるＨＡＲＱ−ＡＣＫ（ｊ）とトランスポートブロックの対応の一例を示す図である。
【図８】本実施形態のｓＴＴＩ６１１におけるＨＡＲＱ−ＡＣＫおよび／またはスケジューリング要求の送信方法を選択するためのフロー図である。
【図９】本実施形態におけるＨＡＲＱ−ＡＣＫ（ｊ）とｓＰＵＣＣＨリソースｎ（１）ｓＰＵＣＣＨとｂ（０）ｂ（１）の対応の一例を示す図である。
【図１０】本実施形態における第１の送信方法における規則（２）に関する動作の一例を示す図である。
【図１１】本実施形態における第２の送信方法に関する動作の一例を示す図である。
【図１２】本発明における端末装置１の構成を示す概略ブロック図である。
【図１３】本発明における基地局装置３の構成を示す概略ブロック図である。
【発明を実施するための形態】
【００１２】
以下、本発明の実施形態について説明する。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
以下、キャリアアグリゲーションについて説明する。
【００１５】
本実施形態では、端末装置１は、２つのサービングセルが設定される。本実施形態において、２つのサービングセルのそれぞれに対してＦＤＤ（Frequency Division Duplex）
が適用される。端末装置１が複数のサービングセルを介して通信する技術をセルアグリゲーション、またはキャリアアグリゲーションと称する。２つのサービングセルは、１つのプライマリセルを含む。２つのサービングセルは、１つのセカンダリセルを含む。プライマリセルは、初期コネクション確立（initial connection establishment）手順が行なわれたサービングセル、コネクション再確立（connection re-establishment）手順を開始
したサービングセル、または、ハンドオーバ手順においてプライマリセルと指示されたセルである。ＲＲＣ（Radio Resource Control）コネクションが確立された時点、または、後に、セカンダリセルが設定されてもよい。
【００１６】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１７】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１８】
本実施形態の物理チャネルおよび物理信号について説明する。
【００１９】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ｓＰＵＣＣＨ（shortened Physical Uplink Control Channel）
・ＰＵＳＣＨ（Physical Uplink Shared Channel）
・ｓＰＵＳＣＨ（shortened Physical Uplink Shared Channel）
【００２０】
ＰＵＣＣＨ、および、ｓＰＵＣＣＨは、上りリンク制御情報（Uplink Control Information: UCI）を送信するために用いられる。１つのＰＵＣＣＨは１つのサブフレームにお
いて送信される。１つのｓＰＵＣＣＨは１つのｓＴＴＩにおいて送信される。本実施形態において、端末装置１は、プライマリセルのみにおいてＰＵＣＣＨの送信を行ってもよい。
【００２１】
上りリンク制御情報は、下りリンクのチャネル状態情報（Channel State Information:
CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement
）を含む。ＨＡＲＱ−ＡＣＫは、ＡＣＫ（acknowledgement）またはＮＡＣＫ（negative-acknowledgement）を示す。
【００２２】
ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。下りリンクデータが成功裏に復号された場合、該下りリンクデータに対するＡＣＫが生成される。下
りリンクデータが成功裏に復号されなかった場合、該下りリンクデータに対するＮＡＣＫが生成される。ＤＴＸ（discontinuous transmission）は、下りリンクデータを検出しなかったことを意味してもよい。ＤＴＸ（discontinuous transmission）は、ＨＡＲＱ−ＡＣＫ応答を送信するべきデータを検出しなかったことを意味してもよい。
【００２３】
スケジューリング要求は、正のスケジューリング要求（positive scheduling request
）、または、負のスケジューリング要求（negative scheduling request）を含む。正の
スケジューリング要求は、初期送信のためのＵＬ−ＳＣＨリソースを要求することを示す。負のスケジューリング要求は、初期送信のためのＵＬ−ＳＣＨリソースを要求しないことを示す。端末装置１は、正のスケジューリング要求を送信するかどうかを決定してもよい。スケジューリング要求が負のスケジューリング要求であることは、端末装置１が正のスケジューリング要求を送信しないと決定したことを意味してもよい。
【００２４】
ｓＰＵＣＣＨフォーマット１は、正のスケジューリング要求を送信するために用いられる。ｓＰＵＣＣＨフォーマット１は、負のスケジューリング要求を送信するために用いられない。ｓＰＵＣＣＨフォーマット１ａは、１ビットのＨＡＲＱ−ＡＣＫを送信するために用いられる。ｓＰＵＣＣＨフォーマット１ｂは、２ビットのＨＡＲＱ−ＡＣＫを送信するために用いられる。チャネル選択をともなうｓＰＵＣＣＨフォーマット１ｂは、端末装置に１つより多いサービングセルを設定される場合に４ビットまでのＨＡＲＱ−ＡＣＫを送信するために用いられる。本実施形態において、２つのサービングセルが設定される端末装置１は、チャネル選択をともなうｓＰＵＣＣＨフォーマット１ｂを用いてＨＡＲＱ−ＡＣＫのみを送信する。
【００２５】
ＰＵＳＣＨ、および、ｓＰＵＳＣＨは、上りリンクデータ（Transport block, Medium Access Control Protocol Data Unit: MAC PDU, Uplink-Shared Channel: UL-SCH）を送
信するために用いられてもよい。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２６】
図１において、基地局装置３から端末装置１への下りリンクの無線通信では、以下の下りリンク物理チャネルが用いられる。下りリンク物理チャネルは、上位層から出力された情報を送信するために使用される。
・ＰＣＦＩＣＨ（Physical Control Format Indicator Channel）
・ＰＤＣＣＨ（Physical Downlink Control Channel）
・ＥＰＤＣＣＨ（Enhanced Physical Downlink Control Channel）
・ｓＰＤＣＣＨ（shortened Physical Downlink Control Channel）
・ＰＤＳＣＨ（Physical Downlink Shared Channel）
・ｓＰＤＳＣＨ（shortened Physical Downlink Shared Channel）
【００２７】
ＰＣＦＩＣＨは、ＣＦＩ（Control Format Indicator）を送信するために用いられる。ＣＦＩは、ＰＤＣＣＨの送信に用いられる領域（ＯＦＤＭシンボル）、および／または、ＰＤＳＣＨの送信に用いられる領域（ＯＦＤＭシンボル）に関する情報である。
【００２８】
ＰＤＣＣＨ、ＥＰＤＣＣＨ、および、ｓＰＤＣＣＨは、下りリンク制御情報（Downlink
Control Information: DCI）を送信するために用いられる。下りリンク制御情報を、Ｄ
ＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００２９】
１つの下りリンクグラントは、１つのセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。１つの下りリンクグラントは、１つのセル内の１つのｓＰＤＳＣＨのスケジューリングに用いられてもよい。下りリンクグラントは、該下りリンクグラントが送信されたｓＴＴＩ（shortened Transmission Time Interval）と同じｓＴＴＩ内のｓＰＤＳＣＨのスケジューリングに用いられてもよい。
【００３０】
１つの上りリンクグラントは、１つのセル内の１つのＰＵＳＣＨのスケジューリングに用いられてもよい。上りリンクグラントは、該上りリンクグラントが送信されたサブフレームより４つ以上後のサブフレーム内の１つのＰＵＳＣＨのスケジューリングに用いられてもよい。１つの上りリンクグラントは、１つのセル内の１つのｓＰＵＳＣＨのスケジューリングに用いられてもよい。上りリンクグラントは、該上りリンクグラントが送信されたｓＴＴＩより後のｓＴＴＩ内の１つのｓＰＵＳＣＨのスケジューリングに用いられてもよい。
【００３１】
ＰＤＳＣＨ、および、ｓＰＤＳＣＨは、下りリンクデータ（Downlink Shared Channel:
DL-SCH）を送信するために用いられる。
【００３２】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に変調処理、および、符号化処理が行なわれる。１つのコードワードは、１つ、または、複数のレイヤにマップされる。
【００３３】
以下、本実施形態の無線フレーム（radio frame）の構成の一例について説明する。図
２は、本実施形態の無線フレームの概略構成を示す図である。無線フレームのそれぞれは、１０ｍｓ長である。図２において、横軸は時間軸である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。つまり、１０ｍｓ間隔のそれぞれにおいて、１０個のサブフレームが利用できる。サブフレームをＴＴＩ（Transmission Time Intervalとも称する。）
【００３４】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３５】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３６】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。本実施形態では、上りリンクおよび下りリンクに対して、ＣＰ長はノー
マルＣＰである。
【００３７】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。サブキャリア間隔Δfはチャネル毎、および／または、ＴＴＩ／ｓＴＴＩ毎に異なって
もよい。
【００３８】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３９】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に上りリンクスロットと同じであるため、下りリンクのスロットの構成の説明は省略する。
【００４０】
図４は、本実施形態の上りリンクにおけるサブフレームおよびｓＴＴＩの一例を示す図である。図４において、サブフレームは、２×NULsymbのＳＣ−ＦＤＭＡシンボルから構
成されてもよい。図４において、ｓＴＴＩを構成するＳＣ−ＦＤＭＡシンボルの数は２または３である。図４において、上りリンクにおける１つのサブフレームは第１から第６のｓＴＴＩを含む。ＸのＳＣ−ＦＤＭＡシンボルから構成されるＴＴＩ／ｓＴＴＩをＸシンボルＴＴＩとも称する。
【００４１】
図５は、本実施形態の下りリンクにおけるサブフレームおよびｓＴＴＩの一例を示す図である。図５において、サブフレームは、２×NＤLsymbのＯＦＤＭシンボルから構成されてもよい。NDLsymbは、１つの下りリンクスロットに含まれるＯＦＤＭシンボルの数を示
す。図５においてNDLsymbは７である。図５において、ｓＴＴＩを構成するＯＦＤＭシン
ボルの数は２または３である。図５において、下りリンクにおける１つのサブフレームは第１から第６のｓＴＴＩを含む。
【００４２】
サービングセルの下りリンクにおけるｓＴＴＩの境界は、該サービングセルおよびサブフレームに対するパラメータｌＤａｔａＳｔａｒｔに基づいて与えられる。サービングセル（プライマリセル、セカンダリセル）およびサブフレームに対するパラメータｌＤａｔａＳｔａｒｔは、該サービングセル（プライマリセル、セカンダリセル）の該サブフレー
ムにおいて受信されるＣＦＩに基づいて与えられてもよい。サービングセルおよびサブフレームに対するパラメータｌＤａｔａＳｔａｒｔは、該サービングセルの該サブフレームにおいて受信されるＣＦＩの値にセットされてもよい。基地局装置３は、サービングセルにおけるＰＣＦＩＣＨを用いて該サービングセルのためのＣＦＩを送信する。ここで、セカンダリセルに対するパラメータｌＤａｔａＳｔａｒｔは、ＲＲＣ（Radio Resource Control）層のパラメータに基づいて与えられてもよい。基地局装置３は、該ＲＲＣ層のパラメータを含む情報を、端末装置１に送信してもよい。
【００４３】
ＰＤＳＣＨおよびｓＰＤＳＣＨがマッピングされるリソースエレメントは、パラメータｌＤａｔａＳｔａｒｔに基づいて与えられてもよい。すなわち、パラメータｌＤａｔａＳｔａｒｔは、ＰＤＳＣＨおよびｓＰＤＳＣＨがマッピングされるリソースエレメントを決定するためのパラメータであってもよい。パラメータｌＤａｔａＳｔａｒｔは、サブフレームにおいてＰＤＳＣＨがマッピングされるリソースエレメントを決定するためのパラメータであってもよい。パラメータｌＤａｔａＳｔａｒｔは、サブフレームにおける最も早いｓＴＴＩにおいてｓＰＤＳＣＨがマッピングされるリソースエレメントを決定するためのパラメータであってもよい。
【００４４】
ＰＤＳＣＨおよびｓＰＤＳＣＨのリソースエレメントへのマッピングが開始されるＯＦＤＭシンボルのインデックスは、パラメータｌＤａｔａＳｔａｒｔに基づいて与えられてもよい。すなわち、パラメータｌＤａｔａＳｔａｒｔは、ＰＤＳＣＨおよびｓＰＤＳＣＨがマッピングされるＯＦＤＭシンボルを決定するためのパラメータであってもよい。パラメータｌＤａｔａＳｔａｒｔは、サブフレームにおいてＰＤＳＣＨがマッピングされるＯＦＤＭシンボルを決定するためのパラメータであってもよい。パラメータｌＤａｔａＳｔａｒｔは、サブフレームにおける最も早いｓＴＴＩにおいてｓＰＤＳＣＨがマッピングされるＯＦＤＭシンボルを決定するためのパラメータであってもよい。
【００４５】
ＰＤＳＣＨに関する複素数値シンボルは、サブフレームの第１のスロットにおいて、パラメータｌＤａｔａＳｔａｒｔと同じ、または、それより大きいインデックスのＯＦＤＭシンボルにマップされる。ＰＤＳＣＨに関する複素数値シンボルは、サブフレームの第２のスロットにもマップされる。
【００４６】
ｓＰＤＳＣＨに関する複素数値シンボルは、サブフレームの第１のスロットにおけるｓＴＴＩにおいて、パラメータｌＤａｔａＳｔａｒｔと同じ、または、それより大きいインデックスのＯＦＤＭシンボルにマップされる。図５において、パラメータｌＤａｔａＳｔａｒｔが１である場合、第１のｓＴＴＩにおいてｓＰＤＳＣＨに関する複素数値シンボルは、インデックス１、２のＯＦＤＭシンボルにマップされる。図５において、パラメータｌＤａｔａＳｔａｒｔが２または３である場合、第１のｓＴＴＩにおいてｓＰＤＳＣＨに関する複素数値シンボルはＯＦＤＭシンボルにマップされない。すなわち、図５において、パラメータｌＤａｔａＳｔａｒｔが２または３である場合、第１のｓＴＴＩにおいてｓＰＤＳＣＨは送信され得ない。
【００４７】
本実施形態における端末装置１は、プライマリセルの下りリンク、プライマリセルの上りリンク、セカンダリセルの下りリンク、セカンダリセルの上りリンクに対してｓＴＴＩが設定されている端末装置である。基地局装置３は、ｓＴＴＩを設定するためのＲＲＣ層のパラメータを含む情報を、端末装置１に送信してもよい。
【００４８】
本実施形態において、プライマリセルとセカンダリセルはプライマリＰＵＣＣＨグループに含まれる。すなわち、本実施形態において、セカンダリセルにおいて受信されたトランスポートブロックに対するＨＡＲＱ−ＡＣＫはプライマリセルにおいて送信される。
【００４９】
図６は、本実施形態におけるＨＡＲＱ−ＡＣＫの送信タイミングの一例を示す図である。図６において、サブフレーム６００はｓＴＴＩ６０１から６０６を含み、サブフレーム６１０はｓＴＴＩ６１１から６１６を含む。基地局装置３は、ｓＴＴＩ６０１におけるプライマリセルにおいてｓＰＤＳＣＨ６２０を送信する。基地局装置３は、ｓＴＴＩ６０１におけるセカンダリセルにおいてｓＰＤＳＣＨ６３０を送信する。ｓＰＤＳＣＨ６２０は２つのトランスポートブロック６２１、６２２を含む。ｓＰＤＳＣＨ６３０は２つのトランスポートブロック６３１、６３２を含む。端末装置１は、ｓＴＴＩ６０１における４つのトランスポートブロック６２１、６２２、６３１、６３２を受信する。
【００５０】
端末装置１は、ｓＴＴＩ６１１におけるプライマリセルにおいて、ｓＰＵＣＣＨリソース６４０、または、ｓＰＵＣＣＨリソース６５０を用いて、トランスポートブロック６２１、６２２、６３１、６３２に対するＨＡＲＱ−ＡＣＫを送信する。ｓＰＵＣＣＨリソース６４０はＨＡＲＱ−ＡＣＫのための４つのｓＰＵＣＣＨリソース｛ｎ（１）ｓＰＵＣＣＨ，０、ｎ（１）ｓＰＵＣＣＨ，１、ｎ（１）ｓＰＵＣＣＨ，２、ｎ（１）ｓＰＵＣＣＨ，３｝を含んでもよい。ｓＰＵＣＣＨリソース６５０はスケジューリング要求のためのｓＰＵＣＣＨリソースである。ＨＡＲＱ−ＡＣＫのためのｓＰＵＣＣＨリソースを、ＨＡＲＱ−ＡＣＫ  ｓＰＵＣＣＨリソースとも称する。スケジューリング要求のためのｓＰＵＣＣＨリソースをＳＲ  ｓＰＵＣＣＨリソースとも称する。
【００５１】
基地局装置３は、ＨＡＲＱ−ＡＣＫ  ＰＵＣＣＨリソース６４０｛ｎ（１）ｓＰＵＣＣＨ，０、ｎ（１）ｓＰＵＣＣＨ，１、ｎ（１）ｓＰＵＣＣＨ，２、ｎ（１）ｓＰＵＣＣＨ，３｝を決定するためのＲＲＣ層のパラメータを含む情報を、端末装置１に送信してもよい。基地局装置３は、ＳＲ  ＰＵＣＣＨリソース６５０を示すためのＲＲＣ層のパラメータを含む情報を、端末装置１に送信してもよい。
【００５２】
図７は、本実施形態におけるＨＡＲＱ−ＡＣＫ（ｊ）とトランスポートブロックの対応の一例を示す図である。図７において、ＨＡＲＱ−ＡＣＫ（０）はトランスポートブロック６２１に対応し、ＨＡＲＱ−ＡＣＫ（１）はトランスポートブロック６２２に対応し、ＨＡＲＱ−ＡＣＫ（２）はトランスポートブロック６３１に対応し、且つ、ＨＡＲＱ−ＡＣＫ（３）はトランスポートブロック６３２に対応する。
【００５３】
端末装置１は、プライマリセルにおけるサブフレーム６００における最も早いｓＴＴＩ６０１においてトランスポートブロック６２１とトランスポートブロック６２２が受信される場合、端末装置１は、セカンダリセルに対するパラメータｌDａｔａSｔａｒｔの値に基づいて、トランスポートブロック６２１に対するＨＡＲＱ−ＡＣＫ（０）とトランスポートブロック６２２に対するＨＡＲＱ−ＡＣＫ（１）を空間的にバンドルするかどうかを決定してもよい。例えば、プライマリセルにおけるサブフレーム６００における最も早いｓＴＴＩ６０１においてトランスポートブロック６２１とトランスポートブロック６２２が受信され、且つ、スケジューリング要求が正のスケジューリング要求であり、且つ、ｓＴＴＩ６１１においてＨＡＲＱ−ＡＣＫとスケジューリング要求が送信される場合、端末装置１は、セカンダリセルに対するパラメータｌDａｔａSｔａｒｔの値に基づいて、トランスポートブロック６２１に対するＨＡＲＱ−ＡＣＫ（０）とトランスポートブロック６２２に対するＨＡＲＱ−ＡＣＫ（１）を空間的にバンドルするかどうかを決定してもよい。
【００５４】
図８は、本実施形態のｓＴＴＩ６１１におけるＨＡＲＱ−ＡＣＫおよび／またはスケジューリング要求の送信方法を選択するためのフロー図である。
【００５５】
（Ｓ８００）端末装置１は正のスケジューリング要求の場合、Ｓ８０１に進む。端末装置１は負のスケジューリング要求の場合、Ｓ８０２に進む。
【００５６】
（Ｓ８０１）端末装置１は、２つのトランスポートブロック６２１、６２２がサブフレーム６００におけるｓＴＴＩ６０１におけるプライマリセルにおいて検出され、且つ、サブフレーム６００におけるセカンダリセルのためのパラメータｌDａｔａSｔａｒｔが所定の値ではない場合、ステップＳ８０３に進む。ここで、所定の値は２、または、３であってもよい。ここで、サブフレーム６００におけるセカンダリセルのためのパラメータｌD
ａｔａSｔａｒｔは１でもよい。ここで、端末装置１は、サブフレーム６００におけるｓ
ＴＴＩ６０１におけるセカンダリセルにおいて、２つのトランスポートブロック６３１、６３２を検出していてもよいし、していなくてもよい。
【００５７】
（Ｓ８０１）端末装置１は、２つのトランスポートブロック６２１、６２２がサブフレーム６００におけるｓＴＴＩ６０１におけるプライマリセルにおいて検出され、且つ、サブフレーム６００におけるセカンダリセルのためのパラメータｌDａｔａSｔａｒｔが所定の値である場合、Ｓ８０４に進む。ここで、所定の値は２、または、３であってもよい。ここで、端末装置１は、サブフレーム６００におけるｓＴＴＩ６０１におけるセカンダリセルにおいて、２つのトランスポートブロック６３１、６３２を検出しない。
【００５８】
（Ｓ８０２）端末装置１は、ｓＴＴＩ６１１においてｓＰＵＣＣＨ６４０を用いてＨＡＲＱ−ＡＣＫを送信する。端末装置１は、ｓＴＴＩ６１１においてチャネル選択をともなうｓＰＵＣＣＨフォーマット１ｂ（PUCCH format 1b with channel selection）を用いてＨＡＲＱ−ＡＣＫを送信する。
【００５９】
（Ｓ８０３）端末装置１は、ｓＴＴＩ６１１においてｓＰＵＣＣＨ６５０を用いてＨＡＲＱ−ＡＣＫを送信する。端末装置１は、ｓＴＴＩ６１１において第１の送信方法（チャネル選択をともなうｓＰＵＣＣＨフォーマット１ｂをともなうＦＤＤに対するＨＡＲＱ−ＡＣＫとＳＲの送信方法）を用いてＨＡＲＱ−ＡＣＫを送信する。
【００６０】
（Ｓ８０４）端末装置１は、ｓＴＴＩ６１１においてｓＰＵＣＣＨ６５０を用いてＨＡＲＱ−ＡＣＫを送信する。端末装置１は、ｓＴＴＩ６１１において第２の送信方法（ｓＰＵＣＣＨフォーマット１ｂをともなうＦＤＤに対するＨＡＲＱ−ＡＣＫとＳＲの送信方法）を用いてＨＡＲＱ−ＡＣＫを送信する。
【００６１】
基地局装置３は、ｓＰＵＣＣＨ６４０においてＨＡＲＱ−ＡＣＫを受信したことに基づいて、スケジューリング要求が負のスケジューリング要求であると判断してもよい。基地局装置３は、ｓＰＵＣＣＨ６５０においてＨＡＲＱ−ＡＣＫを受信したことに基づいて、スケジューリング要求が正のスケジューリング要求であると判断してもよい。
【００６２】
以下、Ｓ８０２におけるチャネル選択をともなうＰＵＣＣＨフォーマット１ｂについて説明する。
【００６３】
スケジューリング要求が負のスケジューリング要求である場合、端末装置１はｓＰＵＣＣＨフォーマット１ｂを用いてｓＴＴＩ６１１におけるｓＰＵＣＣＨリソースｎ（１）ｓＰＵＣＣＨにおいてビットｂ（０）ｂ（１）を送信する。端末装置１は、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）に応じて、４つのｓＰＵＣＣＨリソース｛ｎ（１）ｓＰＵＣＣＨ，０、ｎ（１）ｓＰＵＣＣＨ，１、ｎ（１）ｓＰＵＣＣＨ，２、ｎ（１）ｓＰＵＣＣＨ，３｝から１つのｓＰＵＣＣＨリソースｎ（１）ｓＰＵＣＣＨを選択してもよい。端末装置１は、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）に応じて、ｂ（０）の値とｂ（１）の値をセットしてもよい。図９は、本実施形態におけるＨＡＲＱ−ＡＣＫ（ｊ）とｓＰＵＣＣＨリソースｎ（１）ｓＰＵＣＣＨ
とｂ（０）ｂ（１）の対応の一例を示す図である。例えば、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）のそれぞれがＡＣＫである場合、端末装置１は、ｓＰＵＣＣＨリソースｎ（１）ｓＰＵＣＣＨとしてｎ（１）ｓＰＵＣＣＨ，１を選択してもよく、且つ、ｂ（０）とｂ（１）のそれぞれを１にセットしてもよい。
【００６４】
以下、Ｓ８０３における第１の送信方法（チャネル選択をともなうｓＰＵＣＣＨフォーマット１ｂをともなうＦＤＤに対するＨＡＲＱ−ＡＣＫとＳＲの送信方法）について説明する。
【００６５】
第１の送信方法に対して、スケジューリング要求が正のスケジューリング要求であり、且つ、ｓＴＴＩ６１１においてＨＡＲＱ−ＡＣＫとスケジューリング要求が送信される場合、端末装置１はＳＲ  ｓＰＵＣＣＨリソース６５０においてサービングセル毎に１ビットのＨＡＲＱ−ＡＣＫを送信する。プライマリセルのためのＨＡＲＱ−ＡＣＫビットはｂ（０）にマップされる。セカンダリセルのためのＨＡＲＱ−ＡＣＫビットはｂ（１）にマップされる。ここで、サービングセル毎の１ビットのＨＡＲＱ−ＡＣＫは、以下の規則（１）から（３）に従って生成される。規則（１）において、１つのトランスポートブロックがサービングセルにおいて受信される場合、該サービングセルのためのＨＡＲＱ−ＡＣＫビットは該１つのトランスポートブロックに対応するＨＡＲＱ−ＡＣＫビットである。規則（２）において、サービングセルにおいて２つのトランスポートブロックが受信される場合、該サービングセルのためのＨＡＲＱ−ＡＣＫビットは該２つのトランスポートブロックに対応する２つのＨＡＲＱ−ＡＣＫビットを空間的にバンドルすること（spatial bundling）によって生成される。規則（３）において、ＨＡＲＱ−ＡＣＫ応答が提供されないといけないｓＰＤＳＣＨ送信（PDSCH transmission for which HARQ-ACK response shall be provided）がサービングセルにおいて検出されなかった場合、サービングセルのためのＨＡＲＱ−ＡＣＫビットはＮＡＣＫにセットされる。
【００６６】
図１０は、本実施形態における第１の送信方法における規則（２）に関する動作の一例を示す図である。Ｓ１０ａにおいて、端末装置１はＨＡＲＱ−ＡＣＫ（０）とＨＡＲＱ−ＡＣＫ（１）を空間的にバンドルすることによってプライマリセルに対するＨＡＲＱ−ＡＣＫビットを生成する。Ｓ１０ｂにおいて、端末装置１はＨＡＲＱ−ＡＣＫ（２）とＨＡＲＱ−ＡＣＫ（３）を空間的にバンドルすることによってセカンダリセルに対するＨＡＲＱ−ＡＣＫビットを生成する。Ｓ１０ａとＳ１０ｂのそれぞれにおいて、入力される２つのＨＡＲＱ−ＡＣＫビットのそれぞれがＡＣＫである場合、空間的にバンドルすることによって生成されるＨＡＲＱ−ＡＣＫはＡＣＫにセットされる。Ｓ１０ａとＳ１０ｂにおいて、入力される２つのＨＡＲＱ−ＡＣＫビットの少なくとも一方がＮＡＣＫである場合、空間的にバンドルすることによって生成されるＨＡＲＱ−ＡＣＫはＮＡＣＫにセットされる。
【００６７】
サービングセル毎のＨＡＲＱ−ＡＣＫビットはＡＣＫまたはＮＡＣＫにセットされる。端末装置１はサービングセル毎のＨＡＲＱ−ＡＣＫビットをバイナリビットに符号化する。端末装置１は、ＡＣＫをバイナリ“１”として符号化し、且つ、ＮＡＣＫをバイナリ“０”として符号化する。
【００６８】
以下、Ｓ８０４における第２の送信方法（ｓＰＵＣＣＨフォーマット１ｂをともなうＦＤＤに対するＨＡＲＱ−ＡＣＫとＳＲの送信方法）について説明する。
【００６９】
第２の送信方法に対して、スケジューリング要求が正のスケジューリング要求であり、且つ、ｓＴＴＩ６１１においてＨＡＲＱ−ＡＣＫとスケジューリング要求が送信される場合、端末装置１はＳＲ  ｓＰＵＣＣＨリソース６５０においてＨＡＲＱ−ＡＣＫを送信す
る。ここで、ＨＡＲＱ−ＡＣＫは、ＨＡＲＱ−ＡＣＫ（０）とＨＡＲＱ−ＡＣＫ（１）を含み、且つ、ＨＡＲＱ−ＡＣＫ（２）とＨＡＲＱ−ＡＣＫ（３）を含まない。すなわち、第２の送信方法に対して、スケジューリング要求が正のスケジューリング要求であり、且つ、ｓＴＴＩ６１１においてＨＡＲＱ−ＡＣＫとスケジューリング要求が送信される場合、端末装置１はＳＲ  ｓＰＵＣＣＨリソース６５０においてプライマリセルにおけるｓＴＴＩ６０１におけるトランスポートブロック毎のＨＡＲＱ−ＡＣＫを送信する。第２の送信方法において、ＨＡＲＱ−ＡＣＫ（０）とＨＡＲＱ−ＡＣＫ（１）は空間的にバンドルされない。
【００７０】
図１１は、本実施形態における第２の送信方法に関する動作の一例を示す図である。Ｓ１１ａにおいて、端末装置１はＨＡＲＱ−ＡＣＫ（０）をバイナリビットに符号化する。Ｓ１１ｂにおいて、端末装置１はＨＡＲＱ−ＡＣＫ（１）をバイナリビットに符号化する。トランスポート毎のＨＡＲＱ−ＡＣＫビットはＡＣＫまたはＮＡＣＫにセットされる。端末装置１は、ＡＣＫをバイナリ“１”として符号化し、且つ、ＮＡＣＫをバイナリ“０”として符号化する。
【００７１】
Ｓ８０２、Ｓ８０３、および、Ｓ８０４において、端末装置１は、ｂ（０）ｂ（１）を変調することによって１つの複素数値シンボル（complex-valued symbol）を生成し、Ｐ
ＵＣＣＨフォーマット１ｂを用いて該１つの複素数値シンボルを送信してもよい。
【００７２】
以下、本発明の端末装置１の装置構成について説明する。
【００７３】
図１２は、本発明における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００７４】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００７５】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【００７６】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンク
グラントに従ってＰＵＳＣＨまたはｓＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨまたはｓＰＤＳＣＨを受信するよう、制御部１０３を介して受信部１０５を制御する。
【００７７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００７８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００７９】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。
【００８０】
多重分離部１０５５は、抽出した信号をＰＤＣＣＨ、ｓＰＤＳＣＨ、ＰＣＦＩＣＨ、ＰＤＳＣＨ、ｓＰＤＳＣＨ、および、下りリンク参照信号に、それぞれ分離する。多重分離部１０５５は、分離した下りリンク参照信号をチャネル測定部１０５９に出力する。
【００８１】
復調部１０５３は、ＰＤＣＣＨ、ｓＰＤＣＣＨ、ＰＤＳＣＨ、および、ｓＰＤＳＣＨに対して、ＱＰＳＫ、１６ＱＡＭ（Quadrature Amplitude Modulation）、６４ＱＡＭ等の
変調方式に対する復調を行ない、復号化部１０５１へ出力する。
【００８２】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する
【００８３】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【００８４】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【００８５】
ＰＵＳＣＨ生成部１０７３は、符号化部１０７１から入力された符号化ビットｈiを変
調して変調シンボルを生成し、変調シンボルをＤＦＴすることによってＰＵＳＣＨ／ｓＰＵＳＣＨの信号を生成し、尚且つ、ＤＦＴされたＰＵＳＣＨ／ｓＰＵＳＣＨの信号を多重部１０７７へ出力する。
【００８６】
ＰＵＣＣＨ生成部１０７５は、符号化部１０７１から入力された符号化ビットqi／gi、および／または、ＳＲに基づいて、ＰＵＣＣＨ／ｓＰＵＣＣＨの信号を生成し、生成したＰＵＣＣＨ／ｓＰＵＣＣＨの信号を多重部１０７７へ出力する。
【００８７】
上りリンク参照信号生成部１０７１１は上りリンク参照信号を生成し、生成した上りリンク参照信号を多重部１０７７へ出力する。
【００８８】
多重部１０７５は、制御部１０３から入力された制御信号に従って、ＰＵＳＣＨ生成部１０７３から入力された信号および／またはＰＵＣＣＨ生成部か１０７５ら入力された信号、および／または、上りリンク参照信号生成部１０７１１から入力された上りリンク参照信号を、送信アンテナポート毎に上りリンクのリソースエレメントに多重する。
【００８９】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９０】
以下、本発明の基地局装置３の装置構成について説明する。
【００９１】
図１３は、本発明における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００９２】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００９３】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を
生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【００９４】
上位層処理部３０１が備えるスケジューリング部３０１３は、移動局装置１に割り当てるＰＵＳＣＨ、ｓＰＵＳＣＨ、ＰＵＣＣＨ、および、ｓＰＵＣＣＨの無線リソースの管理をしている。スケジューリング部３０１３は、移動局装置１にＰＵＳＣＨまたはｓＰＵＳＣＨの無線リソースを割り当てた場合には、ＰＵＳＣＨまたはｓＰＵＳＣＨの無線リソースの割り当てを示す上りリンクグラントを生成し、生成した上りリンクグラントを送信部３０７へ出力する。
【００９５】
制御部３０３は、上位層処理部３０１からの制御情報に基づいて、受信部３０５、および送信部３０７の制御を行なう制御信号を生成する。制御部３０３は、生成した制御信号
を受信部３０５、および送信部３０７に出力して受信部３０５、および送信部３０７の制御を行なう。
【００９６】
受信部３０５は、制御部３０３から入力された制御信号に従って、送受信アンテナ３０９を介して移動局装置１から受信した受信信号を分離、復調、復号し、復号した情報を上位層処理部３０１に出力する。
【００９７】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【００９８】
多重分離部１０５５は、無線受信部３０５７から入力された信号をＰＵＣＣＨ、ｓＰＵＣＣＨ、ＰＵＳＣＨ、ｓＰＵＳＣＨ、および、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨ、ｓＰＵＣＣＨ、ＰＵＳＣＨ、および、ｓＰＵＳＣＨの伝搬路の補償を行なう。また、多重分離部３０５５は、分離した上りリンク参照信号をチャネル測定部３０５９に出力する。
【００９９】
多重分離部３０５５は、分離したＰＵＣＣＨ、ｓＰＵＣＣＨ、ＰＵＳＣＨ、および、ｓＰＵＳＣＨの信号から、上りリンクデータの変調シンボルと上りリンク制御情報（ＨＡＲＱ−ＡＣＫ）の変調シンボルを取得する。多重分離部３０５５は、ＰＵＳＣＨまたはｓＰＵＳＣＨの信号から取得した上りリンクデータの変調シンボルをデータ復調／復号部３０５１へ出力する。多重分離部３０５５は、ＰＵＣＣＨの信号、ｓＰＵＣＣＨの信号、ＰＵＳＣＨの信号、または、ｓＰＵＳＣＨの信号から取得した上りリンク制御情報（ＨＡＲＱ−ＡＣＫ）の変調シンボルを制御情報復調／復号部３０５３へ出力する。
【０１００】
チャネル測定部３０５９は、多重分離部３０５５から入力された上りリンク参照信号から伝搬路の推定値、チャネルの品質などを測定し、多重分離部３０５５および上位層処理部３０１に出力する。
【０１０１】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１０２】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０１０３】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ｓＰＤＣＣＨ、ＰＤＳＣＨ、ｓＰＤＳＣＨ、および、下りリンク参照信号を多重して、送受信アンテナ３０９を介して移動局装置１に信号を送信する。
【０１０４】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調す
る。
【０１０５】
下りリンク参照信号生成部３０７９は下りリンク参照信号として生成する。多重部３０７５は、各チャネルの変調シンボルと下りリンク参照信号を多重する。
【０１０６】
無線送信部３０７７は、多重された変調シンボルなどを逆高速フーリエ変換（Inverse Fast Fourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【０１０７】
端末装置１、および、基地局装置３に含まれる部のそれぞれは、回路として構成されてもよい。図１２、および、図１３における１つまたは複数の部は、少なくとも１つのプロセッサ、および、当該少なくとも１つのプロセッサと連結されるメモリとして構成されてもよい。
【０１０８】
以下、本実施形態における、端末装置１および基地局装置３の種々の態様について説明する。
【０１０９】
（１）本実施形態の第１の態様は、１つのプライマリセルおよび１つのセカンダリセルを含む２つのサービングセル用いて基地局装置３と通信する端末装置１であって、トランスポートブロックを受信する受信部１０５と、前記プライマリセルにおけるサブフレーム６００における最も早いｓＴＴＩ６０１において第１のトランスポートブロック６２１と第２のトランスポートブロック６２２が受信され、且つ、スケジューリング要求が正のスケジューリング要求であり、且つ、第２のｓＴＴＩ６１１においてＨＡＲＱ−ＡＣＫと前記スケジューリング要求が送信される場合、前記セカンダリセルに対するパラメータｌD
ａｔａSｔａｒｔの値に基づいて、第１の送信方法および第２の送信方法の何れかを送信
方法として選択し、前記選択された送信方法を用いて前記スケジューリング要求のための第１のｓＰＵＣＣＨリソース６５０において第１のＨＡＲＱ−ＡＣＫを送信する送信部１０７と、を備え、前記セカンダリセルに対する前記パラメータｌDａｔａSｔａｒｔはＰＤＳＣＨまたはｓＰＤＳＣＨのリソースエレメントへのマッピングを特定するためのパラメータであり、前記第１の送信方法に対して前記第１のＨＡＲＱ−ＡＣＫは前記プライマリセルに対する第２のＨＡＲＱ−ＡＣＫと前記セカンダリセルに対する第３のＨＡＲＱ−ＡＣＫを含み、前記第２の送信方法に対して前記第１のＨＡＲＱ−ＡＣＫは前記第１のトランスポートブロック６２１に対する第４のＨＡＲＱ−ＡＣＫと前記第２のトランスポートブロック６２２に対する第５のＨＡＲＱ−ＡＣＫを含み、前記プライマリセルに対する前記第２のＨＡＲＱ−ＡＣＫは前記第４のＨＡＲＱ−ＡＣＫと前記第５のＨＡＲＱ−ＡＣＫを空間的にバンドルすることによって生成される。
【０１１０】
（２）本実施形態の第１の態様において、前記第１の送信方法に対してＨＡＲＱ−ＡＣＫ応答が提供されないといけない前記ｓＰＤＳＣＨの送信が前記セカンダリにおける前記サブフレーム６００における前記最も早いｓＴＴＩ６０１において受信されなかった場合、前記セカンダリセルに対する前記第３のＨＡＲＱ−ＡＣＫはＮＡＣＫにセットされる。
【０１１１】
（３）本実施形態の第１の態様において、前記第２の送信方法に対して前記第１のＨＡＲＱ−ＡＣＫは前記セカンダリセルに対する前記第３のＨＡＲＱ−ＡＣＫを含まない。
【０１１２】
（４）本実施形態の第２の態様は、１つのプライマリセルおよび１つのセカンダリセル
を含む２つのサービングセル用いて端末装置１と通信する基地局装置３であって、トランスポートブロックを送信する送信部３０７と、前記プライマリセルにおけるサブフレーム６００における最も早いｓＴＴＩ６０１において第１のトランスポートブロック６２１と第２のトランスポートブロック６２２が送信される場合、第２のｓＴＴＩ６１１におけるスケジューリング要求のための第１のｓＰＵＣＣＨリソース６５０において第１のＨＡＲＱ−ＡＣＫを受信する受信部３０５と、を備え、前記セカンダリセルに対する前記パラメータｌDａｔａSｔａｒｔが所定の値である場合、前記第１のＨＡＲＱ−ＡＣＫは前記プライマリセルに対する第２のＨＡＲＱ−ＡＣＫと前記セカンダリセルに対する第３のＨＡＲＱ−ＡＣＫを含み、前記セカンダリセルに対するパラメータｌDａｔａSｔａｒｔが前記所定の値ではない場合、前記第１のＨＡＲＱ−ＡＣＫは前記第１のトランスポートブロックに対する第４のＨＡＲＱ−ＡＣＫと前記第２のトランスポートブロックに対する第５のＨＡＲＱ−ＡＣＫを含み、前記プライマリセルに対する前記第２のＨＡＲＱ−ＡＣＫは前記端末装置１によって前記第２のＨＡＲＱ−ＡＣＫと前記第３のＨＡＲＱ−ＡＣＫを空間的にバンドルすることによって生成され、前記セカンダリセルに対する前記パラメータｌD
ａｔａSｔａｒｔは、ＰＤＳＣＨまたはｓＰＤＳＣＨのリソースエレメントへのマッピン
グを特定するためのパラメータである。ここで、前記所定の値は２および３であってもよい。
【０１１３】
（５）本実施形態の第２の態様において、前記セカンダリセルに対する前記パラメータｌDａｔａSｔａｒｔが前記所定の値である場合、前記端末装置１によってＨＡＲＱ−ＡＣＫ応答が提供されないといけない前記ｓＰＤＳＣＨの送信が前記セカンダリにおける前記サブフレーム６００における前記最も早いｓＴＴＩ６０１において受信されなかった場合、前記セカンダリセルに対する前記第３のＨＡＲＱ−ＡＣＫはＮＡＣＫにセットされる。
【０１１４】
（６）本実施形態の第２の態様において、前記セカンダリセルに対する前記パラメータｌDａｔａSｔａｒｔが前記所定の値ではない場合、前記第１のＨＡＲＱ−ＡＣＫは前記セカンダリセルに対する前記第３のＨＡＲＱ−ＡＣＫを含まない。
【０１１５】
これにより、端末装置は効率的に上りリンク制御情報を送信することができる。また、基地局装置は効率的に上りリンク制御情報を受信することができる。
【０１１６】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１１７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１１８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１１９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１２１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１２２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１２４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１２５】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
３０１１  無線リソース制御部
３０１３  スケジューリング部
【図１】
2018196077.tif 000003
【図２】
2018196077.tif 000004
【図３】
2018196077.tif 000005
【図４】
2018196077.tif 000006
【図５】
2018196077.tif 000007
【図６】
2018196077.tif 000008
【図７】
2018196077.tif 000009
【図８】
2018196077.tif 000010
【図９】
2018196077.tif 000011
【図１０】
2018196077.tif 000012
【図１１】
2018196077.tif 000013
【図１２】
2018196077.tif 000014
【図１３】
2018196077.tif 000015